【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
同じノズル本体を使用しながら複数のオリフィス・サイズおよび形状で動作することが可能な、回収ボイラ内で黒液を噴霧するためのノズルであって、
ノズル本体と、
取入オリフィスと、
前記ノズル本体の外部の雰囲気へ直接排出する排出オリフィスがその中に画定されている取り外し可能な排出オリフィス・インサートと、
を備え、前記ノズル本体は、前記排出オリフィスを前記取入オリフィスの中心線からオフセット角にあるラインに沿っている位置に固定する排出オリフィス固定部を有するノズル。
【請求項２】
前記固定部は、円周の一部分が前記排出オリフィス・インサートの周縁と係合しており、一部分が前記ノズル本体と係合しているピンを含んでいる請求項１に記載のノズル。
【請求項３】
前記固定部は、前記排出オリフィス・インサートの位置を前記ノズル本体に対して固定する、相互作用する形状を画定する、前記ノズル本体の幾何的形状および前記取り外し可能な排出オリフィス・インサートの対応する幾何的形状を有する請求項１に記載のノズル。
【請求項４】
前記オフセット角は４５°であることを含む請求項１に記載のノズル。
【請求項５】
前記固定部が、前記取り外し可能な排出オリフィス・インサートの排出口面近傍であって、前記排出口面と前記ノズル本体の排出開口部との間に配置されたスナップ・リング部材をさらに備えている請求項２に記載のノズル。
【請求項６】
前記固定部が、前記取り外し可能な排出オリフィス・インサートの排出口面近傍であって、前記排出口面と前記ノズル本体の排出開口部との間に配置されたスナップ・リング部材をさらに備えている請求項３に記載のノズル。
【請求項７】
前記ノズルを介して噴霧する物質の所定の噴霧パターンを形成するために、前記取り外し可能な排出オリフィス・インサートの中の前記排出オリフィスの開口を画定する請求項１に記載に記載のノズル。
【請求項８】
前記固定部と前記排出オリフィスは１８０°離れて設置されている請求項１に記載のノズル。
【請求項９】
前記排出オリフィス・インサートは、前記ノズル本体の排出口に対応して、前記ノズル本体の内側に形成された凹部に配置される請求項１に記載のノズル。
【請求項１０】
同じノズル本体を使用しながら複数のオリフィス・サイズおよび形状で動作することが可能な、回収ボイラ内で黒液を噴霧するためのノズルであって、
ノズル本体と、
取入オリフィスと、
中に画定された排出オリフィスを有する取り外し可能な排出オリフィス・インサートと、
を備え、前記ノズル本体は、前記排出オリフィスを前記ノズル本体に対応した位置に固定する排出オリフィス固定部を有し、
前記固定部は、一部分が前記排出オリフィス・インサートの円周部分と係合し、一部分が前記ノズル本体と係合する円周係合部を有すると共に、前記取り外し可能な排出オリフィス・インサートの排出口面近傍であって、前記排出口面と前記ノズル本体の排出開口部との間に配置されたスナップ・リング部材をさらに備えるノズル。
【請求項１１】
黒液を噴霧するためのノズルであって、前記スナップ・リング部材は前記排出口面に隣接している請求項１０に記載のノズル。
【請求項１２】
黒液を噴霧するためのノズルであって、前記円周係合部はピンを備える請求項１０に記載のノズル。
【請求項１３】
黒液を噴霧するためのノズルであって、前記円周係合部は前記ノズル本体の中に画定された幾何的形状を備える請求項１０に記載のノズル。
【請求項１４】
黒液を噴霧するためのノズルであって、前記ノズル本体の中に画定された幾何的形状は平らな部分を備える請求項１３に記載のノズル。
【請求項１５】
黒液を噴霧するためのノズルであって、前記取り外し可能な排出オリフィスは、前記ノズル本体の前記平らな部分と係合するために、画定された対応する幾何的な平らな部分を備える請求項１４に記載のノズル。
【請求項１６】
黒液を噴霧するためのノズルであって、前記取り外し可能な排出オリフィスは、前記ノズル本体の前記幾何的形状と係合するために、画定された対応する幾何的形状をさらに備える請求項１３に記載のノズル。
【請求項１７】
黒液を噴霧するためのノズルであって、前記固定部は、前記排出オリフィスを前記取入オリフィスの中心線からオフセット角にあるラインに沿っている位置に固定する請求項１０に記載のノズル。
【請求項１８】
黒液を噴霧するためのノズルであって、前記オフセット角は４５°であることを含む請求項１７に記載のノズル。
【手続補正２】
【補正対象書類名】明細書
【補正対象項目名】００１１
【補正方法】変更
【補正の内容】
【００１１】
図４および５は、本発明によるビール・カン・タイプ・ノズル４０の構成を示している。図４は、ノズルを通る断面図を示しており、図５Ａは、可変オリフィスについての詳細と共にノズル５０の底端部の図を示している。図５Ｂは、図５Ａの構成の断面の、より詳細な図を示している。ビール・カン・ノズル４０の場合、液体が、ノズル本体４２上の取入オリフィス４５に装着されたパイプ４１を通って移送される。図５Ａによれば、４１を通って入る液体が、通路５１を通って移動し、ノズルの内部空洞４６の上部で本体に入り、その壁に接して移動する。液体が、経路５３によって示すように、内部空洞の周りを旋回し、オリフィス４４を通って最終的に排出される。オリフィスは、オリフィス・ディスク４３（排出オリフィス・インサートに対応する）上に孔を穿孔することによって作製される。図３の従来技術３０とは違って、このディスクは、ノズル本体４２の一体部品ではない。これは、ノズルの出口端部のくぼみ内に配置された完全に独立した構成部品である。ノズルが使用中であるとき、オリフィス・ディスクは下を向いている。スナップ・リング４８が、オリフィス・ディスクがノズル本体から落ちることを防止する。ノズルの内部の旋回流を達成するために、排出オリフィスは、取入オリフィスから最も遠い四分円内に回転自在にあるべきである。この位置を維持するために、オリフィス・ディスクは、その円周の一部分がディスク４３と係合される一方、残りの部分がハウジング４２と係合されているピン４９によって、固定保持されている。ピンの代わりに、平らな面が、ディスクの周縁に切削されてもよい。対応する平らな面が同様にノズル本体内に切削される。いずれの場合も、ピンまたは平らな面とオリフィス孔は、１８０°離れて設置され、取入オリフィス５４の中心線から４５°の角度にあるライン５２に沿っている。ピンは、ハウジング内の孔へ挿入されている。孔の深さは、ピンがディスクの表面の上に突き出さないように選択される。スナップ・リングを正確に着座させるために、ピンをディスクの外部表面と同一平面にすることが、重要である。ディスクの縁部上に雄ねじを切削することによってディスクを保持することが可能であるが、腐食および熱によりねじが劣化するので、それは実用的でない。オリフィス・ディスクを入れ替えることによってオリフィス直径を変更する性能を維持しながら化学回収ボイラの環境内でノズルを操作することを可能にするために、ノズル・ハウジングは、実質上異なる熱膨張係数を有する異なる材料からなる。ディスクの熱膨張係数は、ノズル・ハウジングの熱膨張係数よりも大きい。ディスク直径およびノズル本体内のくぼみの直径は、室温（約２０°Ｃ）で、特定の隙間４７がそれら２つの間で維持されるように注意深く制御される。ノズルへ移送される黒液は、１００〜１３０°Ｃの範囲内である。そのため、高い温度では、ディスクは、ハウジングよりも大きく膨張し、したがって隙間４７を閉鎖し、内部チャンバ４６の密封を確実にする。ノズルの使用を中止し、温度が室温まで下げられたとき、ディスクが、その元のサイズに収縮することになり、このことが、これら２つの構成要素の間の隙間をさらに拡大することになり、ディスク���交換し、それによってオリフィス直径を変更することを可能にする。